(57)【要約】【課題】視認性および操作性を損なうことなく、より多くの情報を表示画面に表示する。【解決手段】ユーザの操作に応じて、情報の選択をするための指示を取得する取得部１１２と、選択された情報と関連する情報を検索する検索部１１４と、情報をその属性のうち２つをそれぞれ軸として配列した電子番組表画像２００、および、検索された情報を、その属性のうち１または２の属性をそれぞれ電子番組表画像２００における２つの軸とは異なる方向の軸として配列した関連情報画像３００をそれぞれ生成する画像データ生成部１１６と、電子番組表画像２００および関連情報画像３００を透過的に重畳して表示画面３０に表示させる表示制御部１１８と、を備えるテレビ受信機１０を提供する。【選択図】図６
2011130013.tif 000002
【特許請求の範囲】
【請求項１】
ユーザの操作に応じて、複数のコンテンツに関する、複数の属性からなるコンテンツ情報、および前記複数の属性の少なくとも１つの属性を有する関連情報の選択をするための指示を取得する取得部と、
前記取得部によって取得された指示により、選択された前記コンテンツ情報または選択された前記関連情報の少なくとも一部と関連する複数の前記コンテンツ情報または複数の前記関連情報を検索する検索部と、
前記コンテンツ情報を、前記コンテンツ情報の属性のうち２つの属性をそれぞれ軸として配列した、第１の画像データ、および、前記検索部によって検索された、前記コンテンツ情報または前記関連情報を、前記コンテンツ情報または前記関連情報の属性のうち１または２の属性をそれぞれ前記第１の画像データにおける２つの軸とは異なる方向の軸として配列した、第２の画像データをそれぞれ生成する画像データ生成部と、
前記画像データ生成部によって生成された、前記第１の画像データおよび前記第２の画像データを透過的に重畳して表示画面に表示させる表示制御部と、
を備える、情報処理装置。
【請求項２】
前記画像データ生成部は、
略矩形の表示画面において、長辺方向および短辺方向を軸の方向として前記第１の画像データを生成し、対角線方向を軸の方向として前記第２の画像データを生成する、請求項１に記載の情報処理装置。
【請求項３】
前記画像データ生成部は、
前記コンテンツ情報を、時間軸を一方の軸とする帯状に配列して前記第１の画像データを生成し、前記コンテンツ情報または前記関連情報を、軸方向に沿って１列に配列して前記第２の画像データを生成する、請求項２に記載の情報処理装置。
【請求項４】
前記表示制御部は、
前記取得部によって、前記第２の画像データに配列された前記コンテンツ情報または前記関連情報を選択するための指示が取得された場合、前記第２の画像データ上で配列された前記コンテンツ情報または前記関連情報をスクロールさせる、請求項３に記載の情報処理装置。
【請求項５】
前記画像データ生成部は、
前記取得部によって取得された指示により、選択された前記コンテンツ情報または選択された前記関連情報を、他の前記コンテンツ情報または前記関連情報と視覚的に区別できるように、前記第１の画像データまたは第２の画像データを生成する、請求項１〜４のいずれか１項に記載の情報処理装置。
【請求項６】
前記取得部によって、前記第２の画像データに表示されている、前記コンテンツ情報または前記関連情報の選択をするための指示が取得された場合、
前記検索部は、
前記取得部によって取得された指示により選択された、前記コンテンツ情報または前記関連情報の少なくとも一部と関連する、複数の、前記コンテンツ情報または前記関連情報を検索し、
前記画像データ生成部は、
前記検索部によって検索された、前記コンテンツ情報または前記関連情報により、新たに前記第２の画像データを生成し、
前記表示制御部は、
前記画像データ生成部によって生成された、前記第２の画像データによって表示画面の表示を更新する、請求項１〜５のいずれか１項に記載の情報処理装置。
【請求項７】
前記第２の画像データを格納する格納部をさらに備え、
前記取得部は、
ユーザの操作に応じて、以前の画面に戻るための指示をさらに取得し、
前記表示制御部は、
前記取得部によって取得された、以前の画面に戻るための指示に従い、前記格納部から読み出された、前記第２の画像データによって表示画面の表示を更新する、請求項６に記載の情報処理装置。
【請求項８】
前記取得部は、
表示画面において重畳して表示されている前記第２の画像データを透過して視認される、前記第１の画像データに配列された前記コンテンツ情報について、選択をするための指示を取得する、請求項１〜７のいずれか１項に記載の情報処理装置。
【請求項９】
前記取得部は、
前記第１の画像データまたは前記第２の画像データに配列された、前記コンテンツ情報または前記関連情報の選択をするための指示を、ユーザのボタン操作を受け付ける操作器においてそれぞれの配列されている軸の方向に対応した方向ボタンが押下されることによって取得する、請求項８に記載の情報処理装置。
【請求項１０】
前記表示制御部は、
前記取得部によって、前記第１の画像データに表示されている前記コンテンツ情報の選択をするための指示が取得された場合、前記第２の画像データを表示画面から消滅させる、請求項８，９に記載の情報処理装置。
【請求項１１】
ユーザの操作に応じて、複数のコンテンツに関する、複数の属性からなるコンテンツ情報、および前記複数の属性の少なくとも１つの属性を有する関連情報の選択をするための指示を取得するステップと、
前記取得するステップによって取得された指示により、選択された前記コンテンツ情報または選択された前記関連情報の少なくとも一部と関連する複数の前記コンテンツ情報または複数の前記関連情報を検索するステップと、
前記コンテンツ情報を、前記コンテンツ情報の属性のうち２つの属性をそれぞれ軸として配列した、第１の画像データ、および、前記検索するステップによって検索された、前記コンテンツ情報または前記関連情報を、前記コンテンツ情報または前記関連情報の属性のうち１または２の属性をそれぞれ前記第１の画像データにおける２つの軸とは異なる方向の軸として配列した、第２の画像データをそれぞれ生成するステップと、
前記生成するステップによって生成された、前記第１の画像データおよび前記第２の画像データを透過的に重畳して表示画面に表示させるステップと、
を含む、情報処理方法。
【請求項１２】
ユーザの操作に応じて、複数のコンテンツに関する、複数の属性からなるコンテンツ情報、および前記複数の属性の少なくとも１つの属性を有する関連情報の選択をするための指示を取得するステップと、
前記取得するステップによって取得された指示により、選択された前記コンテンツ情報または選択された前記関連情報の少なくとも一部と関連する複数の前記コンテンツ情報または複数の前記関連情報を検索するステップと、
前記コンテンツ情報を、前記コンテンツ情報の属性のうち２つの属性をそれぞれ軸として配列した、第１の画像データ、および、前記検索するステップによって検索された、前記コンテンツ情報または前記関連情報を、前記コンテンツ情報または前記関連情報の属性のうち１または２の属性をそれぞれ前記第１の画像データにおける２つの軸とは異なる方向の軸として配列した、第２の画像データをそれぞれ生成するステップと、
前記生成するステップによって生成された、前記第１の画像データおよび前記第２の画像データを透過的に重畳して表示画面に表示させるステップと、
を、コンピュータに実行させるためのプログラム。
【発明の詳細な説明】
【技術分野】
【０００１】
本発明は、情報処理装置、情報処理方法およびプログラムに関する。より詳しくは、表示装置に画像データを表示するために用いられる情報処理装置、情報処理方法およびプログラムに関する。
【背景技術】
【０００２】
テレビ等の表示装置に、番組等のコンテンツの内容だけでなく、コンテンツに関する情報を表示することが現在広く行われている。電子番組表（ＥＰＧ：Electronic  Program  Guide）によって番組のタイトル、番組に関する説明、放送日時、放送局などの情報を表示することなどがこれにあたる。これらの情報にさらに独自の処理を行って、その結果をユーザに提供することも行われており、例えば特許文献１には、選択された番組の情報の少なくとも一部と一致または類似する情報を有する番組を検索し、検索結果を電子番組表上に表示する技術が開示されている。
【０００３】
また、近年、高解像度テレビの普及などにより、表示装置の情報表示能力は大幅に向上している。このため、より多くの情報をユーザに提供することが可能である。例えば特許文献２には、電子番組表情報のうち可読性の要求される文字情報等以外の部分を、放送されている番組と透過的に合成して表示する技術が開示されている。
【０００４】
また、表示装置への情報の表示方法としては、電子番組表のような帯状の配列以外の方法も知られている。例えば特許文献３には、再生できるメディアの種類を示した複数のアイコンと、再生できるコンテンツの項目を示した複数のアイコンを、画面の中央で交差するようそれぞれ配列して表示する技術が開示されている。
【先行技術文献】
【特許文献】
【０００５】
【特許文献１】特開２００９−３３２３４号公報
【特許文献２】特開２００４−１５１９５号公報
【特許文献３】特開２００４−３５６７７４号公報
【発明の概要】
【発明が解決しようとする課題】
【０００６】
しかし、例えば従来のある種類の電子番組表では、番組を選択して詳細情報を表示する場合、詳細情報は電子番組表を隠す形で表示される。この場合、詳細情報の表示中は電子番組表の他の部分の情報を見ることができなかったり、そこから別の番組を選択するためには一旦電子番組表に戻る操作が必要であったりして、煩雑であるという問題点があった。
【０００７】
また、別の種類の電子番組表では、詳細情報は画面上の別の領域に表示されるため、電子番組表の他の部分を隠すことはないが、詳細情報を表示する領域が限られているために、表示装置のもつ本来の情報表示能力に比べて少ない情報しか表示することができないという問題点があった。
【０００８】
そこで、本発明は、上記問題に鑑みてなされたものであり、本発明の目的とするところは、視認性および操作性を損なうことなく、より多くの情報を表示画面に表示することが可能な、新規かつ改良された情報処理装置、情報処理方法およびプログラムを提供することにある。
【課題を解決するための手段】
【０００９】
上記課題を解決するために、本発明のある観点によれば、ユーザの操作に応じて、複数のコンテンツに関する、複数の属性からなるコンテンツ情報、および上記複数の属性の少なくとも１つの属性を有する関連情報の選択をするための指示を取得する取得部と、上記取得部によって取得された指示により、選択された上記コンテンツ情報または選択された上記関連情報の少なくとも一部と関連する複数の上記コンテンツ情報または複数の上記関連情報を検索する検索部と、上記コンテンツ情報を、上記コンテンツ情報の属性のうち２つの属性をそれぞれ軸として配列した、第１の画像データ、および、上記検索部によって検索された、上記コンテンツ情報または上記関連情報を、上記コンテンツ情報または上記関連情報の属性のうち１または２の属性をそれぞれ上記第１の画像データにおける２つの軸とは異なる方向の軸として配列した、第２の画像データをそれぞれ生成する画像データ生成部と、上記画像データ生成部によって生成された、上記第１の画像データおよび上記第２の画像データを透過的に重畳して表示画面に表示させる表示制御部と、を備える情報処理装置が提供される。
【００１０】
かかる構成によれば、従来の、情報の単なる二次元配列では表示できない、多様な関連付けによるさまざまな種類の情報が、同時に表示装置に表示される。これにより、表示装置のもつ本来の情報表示能力を十分に活用することができる。
【００１１】
上記画像データ生成部は、略矩形の表示画面において、長辺方向および短辺方向を軸の方向として上記第１の画像データを生成し、対角線方向を軸の方向として上記第２の画像データを生成してもよい。
【００１２】
上記画像データ生成部は、上記コンテンツ情報を、時間軸を一方の軸とする帯状に配列して上記第１の画像データを生成し、上記コンテンツ情報または上記関連情報を、軸方向に沿って１列に配列して上記第２の画像データを生成してもよい。
【００１３】
上記表示制御部は、上記取得部によって、上記第２の画像データに配列された上記コンテンツ情報または上記関連情報を選択するための指示が取得された場合、上記第２の画像データ上で配列された上記コンテンツ情報または上記関連情報をスクロールさせてもよい。
【００１４】
上記画像データ生成部は、上記取得部によって取得された指示により、選択された上記コンテンツ情報または選択された上記関連情報を、他の上記コンテンツ情報または上記関連情報と視覚的に区別できるように、上記第１の画像データまたは第２の画像データを生成してもよい。
【００１５】
上記取得部によって、上記第２の画像データに表示されている、上記コンテンツ情報または上記関連情報の選択をするための指示が取得された場合、上記検索部は、上記取得部によって取得された指示により選択された、上記コンテンツ情報または上記関連情報の少なくとも一部と関連する、複数の、上記コンテンツ情報または上記関連情報を検索し、上記画像データ生成部は、上記検索部によって検索された、上記コンテンツ情報または上記関連情報により、新たに上記第２の画像データを生成し、上記表示制御部は、上記画像データ生成部によって生成された、上記第２の画像データによって表示画面の表示を更新してもよい。
【００１６】
上記情報処理装置は、上記第２の画像データを格納する格納部をさらに備え、上記取得部は、ユーザの操作に応じて、以前の画面に戻るための指示をさらに取得し、上記表示制御部は、上記取得部によって取得された、以前の画面に戻るための指示に従い、上記格納部から読み出された、上記第２の画像データによって表示画面の表示を更新してもよい。
【００１７】
上記取得部は、表示画面において重畳して表示されている上記第２の画像データを透過して視認される、上記第１の画像データに配列された上記コンテンツ情報について、選択をするための指示を取得してもよい。
【００１８】
上記取得部は、上記第１の画像データまたは上記第２の画像データに配列された、上記コンテンツ情報または上記関連情報の選択をするための指示を、ユーザのボタン操作を受け付ける操作器においてそれぞれの配列されている軸の方向に対応した方向ボタンが押下されることによって取得してもよい。
【００１９】
上記表示制御部は、上記取得部によって、上記第１の画像データに表示されている上記コンテンツ情報の選択をするための指示が取得された場合、上記第２の画像データを表示画面から消滅させてもよい。
【００２０】
また、上記課題を解決するために、本発明の別の観点によれば、ユーザの操作に応じて、複数のコンテンツに関する、複数の属性からなるコンテンツ情報、および上記複数の属性の少なくとも１つの属性を有する関連情報の選択をするための指示を取得するステップと、上記取得するステップによって取得された指示により、選択された上記コンテンツ情報または選択された上記関連情報の少なくとも一部と関連する複数の上記コンテンツ情報または複数の上記関連情報を検索するステップと、上記コンテンツ情報を、上記コンテンツ情報の属性のうち２つの属性をそれぞれ軸として配列した、第１の画像データ、および、上記検索するステップによって検索された、上記コンテンツ情報または上記関連情報を、上記コンテンツ情報または上記関連情報の属性のうち１または２の属性をそれぞれ上記第１の画像データにおける２つの軸とは異なる方向の軸として配列した、第２の画像データをそれぞれ生成するステップと、上記生成するステップによって生成された、上記第１の画像データおよび上記第２の画像データを透過的に重畳して表示画面に表示させるステップと、を含む情報処理方法が提供される。
【００２１】
また、上記課題を解決するために、本発明の別の観点によれば、ユーザの操作に応じて、複数のコンテンツに関する、複数の属性からなるコンテンツ情報、および上記複数の属性の少なくとも１つの属性を有する関連情報の選択をするための指示を取得するステップと、上記取得するステップによって取得された指示により、選択された上記コンテンツ情報または選択された上記関連情報の少なくとも一部と関連する複数の上記コンテンツ情報または複数の上記関連情報を検索するステップと、上記コンテンツ情報を、上記コンテンツ情報の属性のうち２つの属性をそれぞれ軸として配列した、第１の画像データ、および、上記検索するステップによって検索された、上記コンテンツ情報または上記関連情報を、上記コンテンツ情報または上記関連情報の属性のうち１または２の属性をそれぞれ上記第１の画像データにおける２つの軸とは異なる方向の軸として配列した、第２の画像データをそれぞれ生成するステップと、上記生成するステップによって生成された、上記第１の画像データおよび上記第２の画像データを透過的に重畳して表示画面に表示させるステップと、をコンピュータに実行させるためのプログラムが提供される。
【発明の効果】
【００２２】
以上説明したように本発明によれば、視認性および操作性を損なうことなく、より多くの情報を表示画面に表示することができる。
【図面の簡単な説明】
【００２３】
【図１】本発明の第１の実施形態に係るシステムの基本的な構成を示す図である。
【図２】同実施形態に係るテレビ受信機の構成例を示すブロック図である。
【図３】同実施形態に係る電子番組表表示処理の一例を示すフローチャートである。
【図４】同実施形態に係る電子番組表表示の画面例を示す図である。
【図５】同実施形態に係る関連情報表示処理の一例を示すフローチャートである。
【図６】同実施形態に係る関連情報の初期表示の画面例を示す図である。
【図７】同実施形態に係る関連情報のフォーカス表示の画面例を示す図である。
【図８】同実施形態に係る関連情報の更新表示の画面例を示す図である。
【図９】同実施形態に係る関連情報の表示終了後の画面例を示す図である。
【発明を実施するための形態】
【００２４】
以下に添付図面を参照しながら、本発明の好適な実施の形態について詳細に説明する。なお、本明細書及び図面において、実質的に同一の機能構成を有する構成属性については、同一の符号を付することにより重複説明を省略する。
【００２５】
なお、説明は以下の順序で行うものとする。
１．第１の実施形態（テレビ受信機）
１−１．第１の実施形態に係るシステムの基本的な構成
１−２．第１の実施形態に係るテレビ受信機の構成
１−３．第１の実施形態に係る電子番組表表示処理
１−４．第１の実施形態に係る関連情報表示処理
１−４−１．関連情報の初期表示処理
１−４−２．関連情報のスクロール表示処理
１−４−３．関連情報の更新表示処理
１−４−４．関連情報の履歴表示処理
１−４−５．関連情報の表示終了処理
２．補足
【００２６】
＜１．第１の実施形態＞
［１−１．第１の実施形態に係るシステムの基本的な構成］
まず、図１を参照して、本発明の第１の実施形態に係るシステム１００の基本的な構成について説明する。
【００２７】
本実施形態に係るシステム１００は、テレビ受信機１０、操作器２０、および表示画面３０を有している。
【００２８】
テレビ受信機１０は、本実施形態に係る情報処理装置の一例であり、デジタルテレビ放送を受信する。情報処理装置の他の例としては、マルチメディア再生装置やパーソナルコンピュータなどが挙げられる。テレビ受信機１０には、操作器２０および表示画面３０が接続される。
【００２９】
操作器２０は、ユーザが上下左右方向ボタン２２、斜め方向ボタン２４、決定ボタン２６、および戻るボタン２８を、それぞれ押下する操作に応じて、テレビ受信機１０に指示を入力する機能を有する、例えばリモートコントローラである。
【００３０】
表示画面３０は、テレビ受信機１０から出力される映像を表示する機能を有する、例えばディスプレイである。本実施形態において、表示画面３０の平面形状は、ディスプレイの一般的な形状である略矩形であるものとする。すなわち、表示画面３０の平面形状はおおむね矩形であるが、四隅が丸いなどして厳密に矩形でなくてもよい。
【００３１】
さらに、テレビ受信機１０は、テレビ回線４２、インターネット回線４４などに接続され、これらの回線を通じて番組情報および関連するその他の情報を取得する。
【００３２】
なお、操作器２０および表示画面３０は、テレビ受信機１０に外部接続されるものには限定されず、例えばテレビ受信機１０と一体化したものであってもよい。また、テレビ受信機１０と操作器２０および表示画面３０との接続、テレビ回線４２およびインターネット回線４４は、有線によるものでも無線によるものでもよい。
【００３３】
［１−２．第１の実施形態に係るテレビ受信機の構成］
次に、図２を参照して、本実施形態に係るテレビ受信機１０の構成について説明する。
【００３４】
テレビ受信機１０は、ＣＰＵ（Central  Processing  Unit）１１０、ＨＤＤ（Hard  Disk  Drive）１２０、および、以下で説明する画像表示処理を行うプログラムを実行するためのハードウェアとして、上記の他に、例えば、ＲＯＭ（Read  Only  Memory）、ＲＡＭ（Random  Access  Memory）等の記録装置と、ＬＡＮ（Local  Area  Network）、インターネット等のネットワークに接続された通信装置と、アンテナ線等を介してデジタル放送の放送信号を受信するチューナを含む。
【００３５】
ＣＰＵ１１０は、プログラムによって取得部１１２、検索部１１４、画像データ生成部１１６および表示制御部１１８の機能を実現する。
【００３６】
取得部１１２は、図１に示した操作器２０からの指示を取得する。
【００３７】
検索部１１４は、テレビ回線４２、インターネット回線４４などを通じて、情報の検索を行う。
【００３８】
画像データ生成部１１６は、検索部１１４が検索した情報に基づいて、画像データを生成する。
【００３９】
表示制御部１１８は、画像データ生成部１１６が生成した画像データに、透過などの処理を行ったものを表示画面３０に表示させる。
【００４０】
［１−３．第１の実施形態に係る電子番組表表示処理］
次に、図３および図４を参照して、本実施形態に係る電子番組表表示処理について説明する。
【００４１】
図３は、本実施形態における電子番組表表示処理の一例を示したフローチャートである。
【００４２】
まず、図２に示した画像データ生成部１１６が、図１に示したテレビ回線４２またはインターネット回線４４を通じて取得した番組情報から、電子番組表画像のデータを生成する（ステップＳ１０２）。次に、表示制御部１１８が、当該データに基づき電子番組表画像を表示画面３０に表示させる（ステップＳ１０４）。
【００４３】
図４に示すように、このとき表示画面３０には、電子番組表画像２００が表示される。
【００４４】
電子番組表画像２００では、略矩形の表示画面３０において、長辺方向の放送局軸、短辺方向の放送時間軸の２つを軸として、番組情報が帯状に配列されている。
【００４５】
本実施形態における電子番組表画像２００は、コンテンツ情報を、当該情報の２つの属性をそれぞれ軸として配列した第１の画像データに相当する。本実施形態おいて、番組情報はコンテンツ情報に相当し、放送局および放送時間は、コンテンツ情報が有する２つの属性に相当する。
【００４６】
電子番組表画像２００上では、所定の位置にある番組がフォーカス番組情報２０２としてフォーカスされている。ここで、フォーカス番組情報２０２は、本実施形態において、選択されたコンテンツ情報に相当する。フォーカス番組情報２０２は、枠で囲み、当該枠を含むそれぞれの軸方向の帯に着色するなどして、他の番組情報と視覚的に区別できるように表示されている。
【００４７】
ここで、図１に示した上下左右方向ボタン２２をユーザが押下することにより、取得部１１２は上下左右へ移動の指示を取得する（ステップＳ１０６）。この場合、表示制御部１１８は、電子番組表画像２００上でフォーカス番組情報２０２を指示に従って移動させ（ステップＳ１１２）、表示画面３０の表示を更新する（ステップＳ１０４）。
【００４８】
また、決定ボタン２６をユーザが押下することにより、取得部１１２は決定の指示を取得する（ステップＳ１０８）。この場合、関連情報表示処理（ステップＳ１１４）が行われる。この関連情報表示処理（ステップＳ１１４）については後述する。
【００４９】
戻るボタン２８をユーザが押下することにより、取得部１１２は戻る指示を取得する（ステップＳ１１０）。この場合、電子番組表画像２００の表示は終了する。
【００５０】
［１−４．第１の実施形態に係る関連情報表示処理］
次に、図５〜図９を参照して、本実施形態に係る関連情報表示処理について説明する。
【００５１】
図５は、本実施形態における関連情報表示処理の一例を示したフローチャートである。
【００５２】
（１−４−１．関連情報の初期表示処理）
関連情報表示処理では、まず、検索部１１４が、取得部１１２が取得した指示に従い、ユーザによって選択された番組情報に関連する情報を検索する。次に、画像データ生成部１１６が、上記で検索された情報から、関連情報画像のデータを生成する（ステップＳ２０２）。
【００５３】
ここで検索される情報は、第１の画像データにおいてユーザの操作により選択されたコンテンツ情報の複数の属性のうち、少なくとも一部と関連するコンテンツ情報または関連情報である。本実施形態において、コンテンツ情報に相当するのは番組情報であり、関連情報に相当するのは出演者情報である。従って、ここでは、電子番組表においてユーザの操作により選択された番組情報と、少なくとも一部と関連する番組情報または出演者情報が検索されることになる。
【００５４】
例えば、検索部１１４は、ユーザの操作により選択された番組情報の出演者名によって、出演者情報を、関連出演者情報として検索する。また、当該番組情報と同じ放送時間で過去に放送された、または未来に放送される番組情報を、関連番組情報として検索する。画像データ生成部１１６は、上記の関連出演者情報および関連番組情報を、後述の関連情報画像の形に配列したデータを生成する。
【００５５】
表示制御部１１８は、上記で生成されたデータに基づき、関連情報画像を表示画面３０に透過表示させる（ステップＳ２０４）。
【００５６】
図６に示すように、このとき表示画面３０では、関連情報画像３００が電子番組表画像２００に透過的に重畳して表示される。
【００５７】
関連情報画像３００では、略矩形の表示画面３０において、関連情報が２本の対角線の方向にそれぞれ配列される。一方の対角線方向には出演者軸が設定され、当該番組の関連出演者情報配列３０４が一列に配列される。他方の対角線方向には番組軸が設定され、当該番組の関連番組情報配列３０６が一列に配列される。それぞれの配列には、戻る指示を取得するための戻るアイコン３０８が含まれる。
【００５８】
本実施形態における関連情報画像３００は、検索されたコンテンツ情報または関連情報を、それぞれの属性を第１の画像データにおける軸とは異なる方向を軸として配列した、第２の画像データに相当する。本実施形態おいて、番組情報はコンテンツ情報に相当し、出演者情報は関連情報に相当する。出演者軸と番組軸は、コンテンツ情報および番組情報がそれぞれ有する属性の軸に相当し、電子番組表画像の軸である長辺方向および短辺方向とは異なった方向である対角線方向に設定される。
【００５９】
電子番組表画像２００の軸と、関連情報画像３００の軸は、異なる方向の軸であるため、図６のように透過的に重畳して表示された状態においても、それぞれに表示された情報をある程度視認することができる。これにより、表示装置の持つ情報表示能力を十分に活用して、多様な関連付けによるさまざまな種類の情報を同時に表示することができる。
【００６０】
なお、関連出演者情報配列３０４および関連番組情報配列３０６は、ユーザの要望に応じて少なくともいずれかが表示されればよく、必ずしも両方表示される必要はない。
【００６１】
対角線の交点である表示画面３０の中央付近には、フォーカス関連情報３０２が表示される。フォーカス関連情報３０２には、図４に示した電子番組表画像２００のフォーカス番組情報２０２が設定される。このとき、フォーカス番組情報２０２が画面中央付近に移動してフォーカス関連情報３０２に変化するアニメーション表示がされてもよい。
【００６２】
ここで、関連出演者情報配列３０４は、例えばフォーカス関連情報３０２が示す番組に出演している出演者の情報の配列である。関連番組情報配列３０６は、例えばフォーカス関連情報３０２が示す番組と同じ時間帯で過去に放送されていた、または未来に放送される番組の情報の配列である。
【００６３】
フォーカス関連情報３０２は、図７に示すように、他の情報と視覚的に区別できるように強調表示される。強調表示の方法は、表示の大きさに変化をつける方法、表示の透過率を変化させる方法、表示の色を変化させる方法、フォーカス関連情報３０２を明滅させる方法などがある。
【００６４】
また、フォーカス関連情報３０２は、文字情報の視認性に支障がない程度の透過率で表示される。このため、電子番組表画像２００のうち、フォーカス関連情報３０２の背景にあたる部分に表示された番組情報については、完全には視認することができない。
【００６５】
しかし、上述の通り、図４に示した電子番組表画像２００において、フォーカス番組情報２０２は、それぞれの軸方向の帯の着色によって視覚的に区別できるように表示されている。このため、図７の場合のように、フォーカス番組情報２０２自体が関連情報画像３００と重複して完全には視認できなかったとしても、放送時間と放送局が視認できることにより、間接的に、電子番組表画像２００においてどこがフォーカスされているかを知ることができる。
【００６６】
また、関連出演者情報配列３０４および関連番組情報配列３０６は、表示画面３０の中央から遠くなるにしたがって、段階的にさらに高い透過率で表示される。このため、表示画面３０の中央から遠い部分では、電子番組表画像２００に表示された番組情報をほぼ完全に視認することができる。
【００６７】
（１−４−２．関連情報のスクロール表示処理）
図１に示した斜め方向ボタン２４をユーザが押下することにより、取得部１１２は斜め方向へ移動の指示を取得する（ステップＳ２０６）。この場合、表示制御部１１８は、関連情報画像３００上で関連出演者情報配列３０４または関連番組情報配列３０６を指示に従ってスクロールさせ、新たに中心に位置した情報にフォーカスを移し（ステップＳ２１８）、表示画面３０の表示を更新する（ステップＳ２０４）。
【００６８】
ここで、関連出演者情報配列３０４および関連番組情報配列３０６はカルーセル表示されている。このためユーザは斜め方向ボタン２４、例えば左上方向のボタンを押下し続けることで、左上を含む対角線方向に配列されている関連出演者情報配列３０４に含まれる情報をすべて閲覧することができる。
【００６９】
このとき、斜め方向ボタン２４を所定の時間以上押下し続ければ上記スクロールの移動速度が速くなるように設定することで、配列に含まれる情報の数が多い場合にも快適に閲覧ができるようにしてもよい。
【００７０】
（１−４−３．関連情報の更新表示処理）
戻るアイコン３０８以外がフォーカスされた状態で、図１に示した決定ボタン２６をユーザが押下することにより、取得部１１２は決定の指示を取得する（ステップＳ２０８）。
【００７１】
この場合、表示制御部１１８は、そのとき表示されていた関連情報画像３００のデータを格納部であるＨＤＤ１２０に格納し（ステップＳ２２０）、新たに選択された情報を基にした関連情報画像データ生成処理が行われる（ステップＳ２０２）。
【００７２】
図８は、フォーカス関連情報３０２が出演者情報である状態で、決定ボタン２６が押下された状態を示す図である。このとき、関連番組情報配列３０６は、例えば当該出演者の過去の出演番組の情報で更新され、関連出演者情報配列３０４は変化しない。
【００７３】
この後、フォーカス関連情報３０２が関連番組情報である状態で、再度決定ボタン２４が押下されれば、関連出演者情報配列３０４は、例えば当該番組の出演者の情報で更新される。フォーカス関連情報３０２が出演者情報である状態で、再度決定ボタン２４が押下されれば、関連番組情報配列３０６が、例えば当該出演者の出演番組の情報で更新される。以下同様に、それぞれの配列は順次、新たな関連情報により更新される。
【００７４】
（１−４−４．関連情報の履歴表示処理）
戻るアイコン３０８がフォーカスされた状態で、図１に示した決定ボタン２６をユーザが押下する、または図１に示した戻るボタン２８をユーザが押下することにより、取得部１１２は戻る指示を取得する（ステップＳ２１２）。
【００７５】
この場合、表示制御部１１８は、格納部に関連情報画像の画像データが格納されているか調べる（ステップＳ２１４）。画像データが格納されている場合は、当該データを読み出し（ステップＳ２２４）、表示画面３０の表示を更新する（ステップＳ２０４）。格納されていない場合は、関連情報画像３００の表示を終了する（ステップＳ２１６）。
【００７６】
このとき、関連情報画像３００では、その時点で表示されている関連出演者情報配列３０４または関連番組情報配列３０６が１つ前の状態に戻る。つまり、関連出演者情報配列３０４が更新された直後に戻る指示があれば、関連出演者情報配列３０４が１つ前の状態に戻り、関連番組情報配列３０６が更新された直後に戻る指示があれば、関連番組情報配列３０６が１つ前の状態に戻る。
【００７７】
なお、ここでいう直後とは、ある時に決定ボタン２４が押下されてから、次に決定ボタン２４が押下されるまでの間を指し、その間に例えば斜め方向ボタン２４が押下されていてもよい。
【００７８】
（１−４−５．関連情報の表示終了処理）
図１に示した上下左右方向ボタン２２をユーザが押下することにより、取得部１１２は上下左右方向への移動の指示を取得する（ステップＳ２１０）。この場合、表示制御部１１８は電子番組表画像２００上でフォーカス番組情報２０２を指示に従って移動させ（ステップＳ２２２）、関連情報画像３００の表示を終了する（ステップＳ２１６）。
【００７９】
例えば、図６に示した画面が表示されている場合に、透過して視認される電子番組表画像２００に表示されている他の番組情報２０４にフォーカスを移すことをユーザが意図し、上下左右方向ボタン２２の下方向のボタンを押下したような場合である。
【００８０】
このとき、表示画面３０では、図９のように、関連情報画像３００の表示は終了して電子番組表画像２００のみの表示となり、図６に示した他の番組情報２０４が、図９では新たににフォーカス番組情報２０２となる。
【００８１】
ここで、図１に示したような種類の操作器２０においては、上下左右方向ボタン２２と斜め方向ボタン２４は相互に隣接しているため、ユーザの誤操作により上下方向ボタン２２が押下されることも考えられる。このような場合に、ユーザの意に反して関連情報画像３００の表示が終了されてしまうことを防ぐため、関連情報画像３００の表示中の上下左右方向ボタン２２の押下については、所定の時間継続して押下、あるいは所定の回数連続して押下されることを、番組情報２０４へのフォーカス移動の指示として取得する条件としてもよい。
【００８２】
関連情報画像３００が表示された直後の状態で戻る指示があった場合にも、関連情報画像３００の表示が終了され、電子番組表画像２００のみが表示された状態に戻る。この場合、フォーカス番組情報２０２は移動しない。
【００８３】
＜２．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８４】
例えば、上記実施形態では、本発明はテレビ受信機に適用され、電子番組表および番組の関連情報を検索して表示することとしたが、本発明はかかる例に限定されない。例えばマルチメディア再生装置等に本発明を適用してもよい。その場合、関連情報として検索された番組等のコンテンツが当該装置に格納されている、またはインターネット回線等を通じて入手可能である場合には、当該コンテンツ情報へのさらなる選択操作により、コンテンツをそのまま再生できるようにしてもよい。また、例えば一度選択した出演者情報をさらに選択すると、その出演者のさらに詳細な情報の画面が表示されるように、別画面への遷移をするようにしてもよい。
【００８５】
また、上記実施形態では、番組情報に関連する情報として出演者情報および関連番組情報が表示されることとしたが、本発明はかかる例に限定されない。例えば、番組に関連したテレビ以外の媒体の商品や、他の要素で当該番組と関連する番組等の情報が表示されてもよい。
【００８６】
また、上記実施形態では、操作器はユーザがボタンを押下するリモートコントローラとしたが、本発明はかかる例に限定されない。例えば、操作器はゲームコントローラでもよく、マウスやキーボードでもよい。さらには、操作器は表示画面と一体になったタッチパネルによるものであってもよい。
【００８７】
また、上記実施形態では、番組情報等の選択の指示は移動と決定の２段階のボタン操作により行われるものとしたが、本発明はかかる例に限定されない。例えば、操作器がタッチパネルによるものであれば、画面上のユーザインタフェースにより１段階で選択の指示が行われるようにしてもよく、また、ユーザからの明確な決定の指示がなくても、ある番組情報等がフォーカスされた状態で所定の時間が経過した場合はそれを決定の指示とみなして詳細情報を表示するようにしてもよい。
【００８８】
また、上記実施形態では、戻る指示は画面上の戻るアイコンの選択および操作器の戻るボタンによるものとしたが、本発明はかかる例に限定されない。例えば、ユーザによる操作が所定の時間されなかった場合に、関連情報画像の表示を終了して電子番組表画像の表示に戻るよう設定されていてもよい。また、画面上の戻るアイコンが選択された場合は、関連情報を１つ前の状態にし、操作器の戻るボタンが押下された場合は、関連情報の表示または電子番組表の表示を終了する、というように使い分けてもよい。
【符号の説明】
【００８９】
１００  システム
１０    テレビ受信機
２０    操作器
２２    上下左右方向ボタン
２４    斜め方向ボタン
２６    決定ボタン
２８    戻るボタン
３０    表示画面
４２    テレビ回線
４４    インターネット回線
１１０    ＣＰＵ
１１２    取得部
１１４    検索部
１１６    画像データ生成部
１１８    表示制御部
１２０    ＨＤＤ
２００    電子番組表画像
２０２    フォーカス番組情報
２０４    他の番組情報
３００    関連情報画像
３０２    フォーカス関連情報
３０４    関連出演者情報配列
３０６    関連番組情報配列
３０８    戻るアイコン
【図１】
2011130013.tif 000003
【図２】
2011130013.tif 000004
【図３】
2011130013.tif 000005
【図４】
2011130013.tif 000006
【図５】
2011130013.tif 000007
【図６】
2011130013.tif 000008
【図７】
2011130013.tif 000009
【図８】
2011130013.tif 000010
【図９】
2011130013.tif 000011